(57)【要約】【課題】  利便性の向上が図れるテレビ受像機を提供すること。【解決手段】テレビ受像機４は、取得した画像情報を記憶する記憶部４５３と、外部の通信端末装置との間で情報の送受信を可能とする送受信部４６と、送受信部４６を介して通信端末装置から所定の画像情報を送信する旨の指示情報を受信した場合に、記憶部４５３から所定の画像情報を読み出し、送受信部４６を介して読み出した所定の画像情報を通信端末装置に送信するコントローラ４５１とを備えている。【選択図】 図２
2006148765.tif 000002
【特許請求の範囲】
【請求項１】
取得した画像情報に基づいて画像を表示するテレビ受像機であって、
前記取得した画像情報を記憶する記憶部と、
外部の通信端末装置との間で情報の送受信を可能とする送受信部と、
前記送受信部を介して前記通信端末装置から所定の画像情報を送信する旨の指示情報を受信した場合に、前記記憶部から前記所定の画像情報を読み出し、前記送受信部を介して前記読み出した所定の画像情報を前記通信端末装置に送信する制御部とを備えていることを特徴とするテレビ受像機。
【請求項２】
請求項１に記載のテレビ受像機において、
前記記憶部は、前記画像情報と該画像情報を識別可能とする識別情報とを関連付けて記憶し、
前記指示情報は、前記識別情報を含んで構成され、
前記制御部は、前記指示情報に含まれる前記識別情報に基づいて、前記記憶部から前記識別情報に関連付けられた画像情報を読み出し、前記送受信部を介して前記読み出した画像情報を前記通信端末装置に送信することを特徴とするテレビ受像機。
【請求項３】
請求項２に記載のテレビ受像機において、
前記記憶部に記憶された複数の画像情報に関連付けられた各識別情報を索引単位とし、前記複数の画像情報を索引先とする索引情報を作成する索引情報作成部を備え、
前記制御部は、前記索引情報作成部にて作成された索引情報に基づいて、前記記憶部に記憶された複数の画像情報のうち前記指示情報に含まれる前記識別情報に対応する画像情報を特定し、前記送受信部を介して前記特定した画像情報を前記通信端末装置に送信することを特徴とするテレビ受像機。
【請求項４】
請求項１から請求項３のいずれかに記載のテレビ受像機において、
前記取得した画像情報を２次元バーコードのデータ形式に変換可能とするデータ変換部を備え、
前記記憶部は、前記データ変換部にて変換された前記２次元バーコードのデータ形式の画像情報を記憶可能に構成されていることを特徴とするテレビ受像機。
【請求項５】
請求項４に記載のテレビ受像機において、
前記データ変換部は、前記取得した画像情報を２次元バーコードのデータ形式に変換する際、前記画像情報に文字、数字、記号等のテキスト情報が含まれる場合に、前記テキスト情報を二値化してテキストデータ化することを特徴とするテレビ受像機。
【請求項６】
請求項１から請求項５のいずれかに記載のテレビ受像機において、
前記送受信部は、ネットワークを介して複数の前記通信端末装置との間で情報の送受信が可能な状態に接続することを特徴とするテレビ受像機。
【請求項７】
請求項１から請求項６のいずれかに記載のテレビ受像機において、
前記通信端末装置を認証するための認証情報を記憶する認証情報記憶部を備え、
前記制御部は、前記送受信部を介して前記通信端末装置から前記指示情報とともに前記認証情報を受信した後、前記受信した認証情報と前記認証情報記憶部に記憶された認証情報とを照合して前記通信端末装置を認証し、前記認証した結果に応じて、前記記憶部から前記所定の画像情報を読み出し、前記送受信部を介して前記読み出した所定の画像情報を前記通信端末装置に送信することを特徴とするテレビ受像機。
【発明の詳細な説明】
【技術分野】
【０００１】
本発明は、テレビ受像機に関する。
【背景技術】
【０００２】
従来、ビデオカメラ等からの動画像を表示する動画像表示装置が提案されている（例えば、特許文献１参照）。
特許文献１に記載の動画像表示装置は、動画像信号を入力する入力手段と、入力された動画像信号を記憶する記憶手段と、入力された動画像信号を記憶手段に記憶しつつ、記憶手段に記憶しようとしている動画像信号と記憶手段から読み出された動画像信号とを選択的に表示する表示手段とを備えている。このような構成により、一連の動画像信号を記憶体に記憶している途中であっても、過去の動画像の表示が可能となる。
【０００３】
【特許文献１】特開平０８−１６３４７８号公報
【発明の開示】
【発明が解決しようとする課題】
【０００４】
特許文献１に記載の技術を、例えば、汎用のテレビ受像機に搭載した場合には、テレビ放送電波に基づく動画像または静止画像（キャプチャ画像）を記憶体に記憶しつつ、従前に記憶した動画像または静止画像を表示可能とし、利用者にとって使い勝手のよいものとなる。
しかしながら、上述した構成は、テレビ受像機の操作部を操作することで記憶体に記憶した動画像または静止画像を表示部に表示させる構成である。このため、記憶体に記憶した動画像または静止画像を、例えば、携帯電話等の通信端末装置を利用して外部の出先から利用者が視認することができず、利便性の向上が図れない。
【０００５】
本発明の目的は、利便性の向上が図れるテレビ受像機を提供することにある。
【課題を解決するための手段】
【０００６】
本発明のテレビ受像機は、取得した画像情報に基づいて画像を表示するテレビ受像機であって、前記取得した画像情報を記憶する記憶部と、外部の通信端末装置との間で情報の送受信を可能とする送受信部と、前記送受信部を介して前記通信端末装置から所定の画像情報を送信する旨の指示情報を受信した場合に、前記記憶部から前記所定の画像情報を読み出し、前記送受信部を介して前記読み出した所定の画像情報を前記通信端末装置に送信する制御部とを備えていることを特徴とする。
ここで、記憶部が記憶する画像情報としては、テレビ放送電波に基づく映像の動画像または静止画像（キャプチャ画像）に限らず、メモリカード等の外部記録媒体から取得した動画像または静止画像も含むものである。
本発明では、利用者が外部の通信端末装置を操作して所定の画像情報を送信する旨の指示情報をテレビ受像機に送信する。テレビ受像機の制御部は、送受信部を介して通信端末装置からの指示情報を受信し、該指示情報を認識する。この後、制御部は、記憶部から指示情報に基づく画像情報を読み出し、送受信部を介して該画像情報を通信端末装置に送信する。このことにより、例えば、従前に利用者がテレビ受像機を操作して記憶部に記憶させた画像を、通信端末装置に表示させることが可能となる。このため、従前にテレビ受像機の記憶部に記憶させた画像を、通信端末装置を利用して外部の出先から利用者が視認することが可能となり、テレビ受像機の利便性の向上が図れる。
【０００７】
本発明のテレビ受像機では、前記記憶部は、前記画像情報と該画像情報を識別可能とする識別情報とを関連付けて記憶し、前記指示情報は、前記識別情報を含んで構成され、前記制御部は、前記指示情報に含まれる前記識別情報に基づいて、前記記憶部から前記識別情報に関連付けられた画像情報を読み出し、前記送受信部を介して前記読み出した画像情報を前記通信端末装置に送信することが好ましい。
ここで、識別情報としては、画像情報を識別可能とする情報であればいずれの情報でもよく、例えば、テレビ放送電波を受信することで取得するＥＰＧ（Electric Program Guide）データ（チャンネル、日時等）、画像情報のサイズに関する情報、ユーザが任意に付けたコメント等の情報が例示できる。
本発明では、記憶部は、画像情報および識別情報を関連付けて記憶する。また、外部の通信端末装置から送信される指示情報には、識別情報が含まれている。このことにより、制御部は、受信した指示情報に含まれる識別情報に基づいて、外部の通信端末装置に送信する画像情報を容易に特定できる。このため、テレビ受像機の利便性の向上がさらに図れる。
【０００８】
本発明のテレビ受像機では、前記記憶部に記憶された複数の画像情報に関連付けられた各識別情報を索引単位とし、前記複数の画像情報を索引先とする索引情報を作成する索引情報作成部を備え、前記制御部は、前記索引情報作成部にて作成された索引情報に基づいて、前記記憶部に記憶された複数の画像情報のうち前記指示情報に含まれる前記識別情報に対応する画像情報を特定し、前記送受信部を介して前記特定した画像情報を前記通信端末装置に送信することが好ましい。
ここで、索引情報としては、例えば、各識別情報をディレクトリ名とし、各ディレクトリ内に各識別情報に対応する画像情報における記憶部の格納アドレスがそれぞれ付加された、所謂、ディレクトリ情報が例示できる。
本発明によれば、索引情報作成部にて作成された索引情報に基づいて、記憶部に記憶された複数の画像情報の管理を容易に実施できる。このため、制御部は、索引情報を利用して、受信した指示情報に含まれる識別情報に対応する画像情報をさらに容易にかつ迅速に特定できる。したがって、送受信部を介して画像情報を迅速に通信端末装置に送信することができ、テレビ受像機の利便性の向上がさらに一層図れる。
【０００９】
本発明のテレビ受像機では、前記取得した画像情報を２次元バーコードのデータ形式に変換可能とするデータ変換部を備え、前記記憶部は、前記データ変換部にて変換された前記２次元バーコードのデータ形式の画像情報を記憶可能に構成されていることが好ましい。
本発明によれば、データ変換部が画像情報を２次元バーコードのデータ形式に変換することで、画像情報の容量を縮小でき、画像情報のデータ形式を変換しない場合に比較して、記憶部により多くの画像情報を記憶させることができる。
また、送受信部を介して２次元バーコードのデータ形式である画像情報を外部の通信端末装置に送信する構成とすれば、画像情報のデータ形式を変換しない場合に比較して、画像情報の容量が小さいため画像情報の送信を円滑に実施できる。
【００１０】
本発明のテレビ受像機では、前記データ変換部は、前記取得した画像情報を２次元バーコードのデータ形式に変換する際、前記画像情報に文字、数字、記号等のテキスト情報が含まれる場合に、前記テキスト情報を二値化してテキストデータ化することが好ましい。
本発明では、データ変換部は、画像情報にテキスト情報が含まれる場合に、該テキスト情報をテキストデータとする。また、データ変換部は、テキスト情報以外の部分を２次元バーコードのデータ形式に変換する。このことにより、画像情報の容量をさらに縮小できる。
【００１１】
本発明のテレビ受像機では、前記送受信部は、ネットワークを介して前記通信端末装置との間で情報の送受信が可能な状態に接続することが好ましい。
本発明によれば、送受信部がネットワークを介して通信端末装置との間で情報の送受信が可能な状態に接続するので、遠隔配置された複数の通信端末装置にネットワークを介して情報の送受信が可能な状態に接続でき、利便性の拡大を大幅に図れる。
【００１２】
本発明のテレビ受像機では、前記通信端末装置を認証するための認証情報を記憶する認証情報記憶部を備え、前記制御部は、前記送受信部を介して前記通信端末装置から前記指示情報とともに前記認証情報を受信した後、前記受信した認証情報と前記認証情報記憶部に記憶された認証情報とを照合して前記通信端末装置を認証し、前記認証した結果に応じて、前記記憶部から前記所定の画像情報を読み出し、前記送受信部を介して前記読み出した所定の画像情報を前記通信端末装置に送信することが好ましい。
本発明によれば、制御部が通信端末装置を認証するので、特定の通信端末装置に対してのみ情報の送受信が可能な状態に接続でき、テレビ受像機の内部情報を効果的に保護できる。また、通信端末装置を利用して不正に接続され該通信端末装置から不正な制御プログラム等がテレビ受像機に出力されることも防止することができ、これに基づいて動作不良等が生じる可能性もない。
【発明を実施するための最良の形態】
【００１３】
以下、本発明の実施の一形態を図面に基づいて説明する。
〔１．情報配信システムの構成〕
図１は、本実施形態におけるテレビ受像機を利用した情報配信システムの概略構成を示すブロック図である。
情報配信システム１は、テレビ受像機４にて取り込まれた画像（キャプチャ画像）を外部の通信端末装置３にて閲覧可能とするシステムである。この情報配信システム１は、図１に示すように、ネットワーク２と、通信端末装置３と、テレビ受像機４とを備える。
【００１４】
ネットワーク２には、通信端末装置３およびテレビ受像機４が接続されている。このネットワーク２としては、例えば、ＴＣＰ／ＩＰなどの汎用のプロトコルに基づくインターネット、イントラネット、ＬＡＮ(Local Area Network）、無線媒体により情報が送受信可能な複数の基地局がネットワークを構成する通信回線網、さらには、通信端末装置３およびテレビ受像機４間で情報を直接送受信するための媒体となる無線媒体自体などが例示できる。ここで、無線媒体としては、電波、光、音波、電磁波などのいずれの媒体をも適用できる。
通信端末装置３は、ＰＤＡ(Personal Digital Assistant)、携帯電話、ＰＨＳ(Personal Handy phone System)、ＰＣ（Personal Computer）などが例示できる。本実施形態では、通信端末装置３として、図１に示すように、ＰＣを採用している。この通信端末装置３は、ネットワーク２を介して情報を送受信可能に構成されており、テレビ受像機４からネットワーク２を介して送信される画像情報を受信して該画像情報に基づく画像の表示等を実施する。
【００１５】
〔２．テレビ受像機の構成〕
図２は、テレビ受像機４の概略構成を示すブロック図である。
テレビ受像機４は、リアプロジェクタタイプであり、スクリーンＳｃ（図２）に画像光を投射して表示するとともに表示した画像に対応する画像データを取り込み、ネットワーク２を介して外部の通信端末装置３に前述の取り込んだ画像データを配信可能に構成されている。このテレビ受像機４は、図２に示すように、操作部４１と、電源ユニット４２と、画像形成部４３と、チューナユニット４４と、制御装置４５と、送受信部４６とで大略構成されている。
【００１６】
操作部４１は、図示しないリモートコントローラや、テレビ受像機４に備えられたボタンやキーにより構成され、利用者による操作を認識して所定の操作信号を制御装置４５に出力する。
電源ユニット４２は、外部から供給された電力をテレビ受像機４の各部に供給する。この電源ユニット４２は、図示は省略するが、外部から供給された電力をテレビ受像機４の各部に供給する主電源と、利用者による操作部４１の操作により主電源がＯＦＦした状態（スタンバイ状態）において、外部から供給された電力をテレビ受像機４の制御装置４５を構成する後述するコントローラおよび記憶部や、送受信部４６等にのみ供給するトリクル電源とで構成されている。
【００１７】
画像形成部４３は、制御装置４５による制御の下、画像光を生成して投影表示する。この画像形成部４３は、図２に示すように、光源装置４３１と、液晶ライトバルブ４３２と、投射光学系４３３と、スクリーンＳｃとを備える。
光源装置４３１は、制御装置４５による制御の下、光束を液晶ライトバルブ４３２に向けて射出する。この光源装置４３１は、光源ランプ４３１Ａと、ランプ駆動部４３１Ｂとを備える。
光源ランプ４３１Ａは、超高圧水銀ランプにて構成されている。なお、超高圧水銀ランプに限らず、メタルハライドランプ、キセノンランプ等の他の放電発光型の光源ランプを採用してもよい。さらに、放電発光型の光源ランプに限らず、発光ダイオードや有機ＥＬ素子、シリコン発光素子等の各種自己発光素子を採用してもよい。
ランプ駆動部４３１Ｂは、制御装置４５による制御の下、所定の駆動周波数にしたがって駆動信号を生成し、光源ランプ４３１Ａを駆動する。
【００１８】
液晶ライトバルブ４３２は、透過型の液晶パネルであり、制御装置４５による制御の下、入力する画像情報（後述するフレーム画像データ）に基づいて、液晶セル（図示略）に封入された液晶分子の配列を変化させ、光源装置４３１から射出された光束を、透過若しくは遮断することにより画像情報の表す画像の画像光を投射光学系４３３に射出する。
投射光学系４３３は、液晶ライトバルブ４３２から射出された画像光をスクリーンＳｃに向けて拡大投射する。
スクリーンＳｃは、一般的な矩形状の透過型スクリーンであり、図示しない外装筺体の正面側に露出するように設けられ、投射光学系４３３にて拡大投射された画像光を裏面から正面に投影する。
【００１９】
なお、図示は省略したが、テレビ受像機４は、ＲＧＢの３色に対応する３枚の液晶ライトバルブ４３２を備えている。また、光源装置４３１は、光源光を３色の光に分離する色光分離光学系を備えている。さらに、投射光学系４３３は、３色の画像光を合成してカラー画像を表す画像光を生成する合成光学系と投射レンズとを有している。なお、このような光学系の構成については、種々の一般的なプロジェクタの光学系の構成が利用可能である。
【００２０】
チューナユニット４４は、テレビ放送電波を受信するアンテナＡＮＴが接続されている。このチューナユニット４４は、制御装置４５による制御の下、アンテナＡＮＴにより受信されて出力される例えば複数のチャンネルに対応する各種データから所定のチャンネルに対応する各種データ、すなわち、音声データ、画像データ、ＥＰＧデータを入力して制御装置４５に出力する。また、チューナユニット４４は、画像データを制御装置４５に出力する際、輝度信号、色信号（色搬送波周波数）、および同期信号からなるＣＶＢＳ信号を制御装置４５に出力する。なお、デジタル放送の場合には、一般的にはＴＳ（トランスポートストリーム）デジタル信号として出力され、後段のＭＰＥＧデコーダ（メディアプロセッサ的な画像処理チップ）で符号化解凍処理およびデコード処理され、デジタル形式のＹＰｂＰｒ（コンポーネント）信号（またはＲＧＢ信号）へ変換されて出力される。
ここで、ＥＰＧデータは、チャンネル情報、タイトル情報、番組詳細情報、および放送日時情報等が１つのデータとして構成されたものである。チャンネル情報は、チャンネル番号や放送局名等に関する情報である。タイトル情報は、番組名等に関する情報である。番組詳細情報は、例えば番組の内容や出演者等に関する情報である。放送日時情報は、番組の放送開始日時および放送終了日時に関する情報である。
【００２１】
制御装置４５は、電源ユニット４２、画像形成部４３、チューナユニット４４、および送受信部４６等を制御する。そして、制御装置４５は、アンテナＡＮＴを介してチューナユニット４４にて受信した所定のチャンネルに対応する画像を画像形成部４３に投影表示させる。また、制御装置４５は、前記所定のチャンネルに対応する音声を図示しないスピーカに出力させる。この制御装置４５は、制御部としてのコントローラ４５１と、画像処理部４５２と、記憶部４５３と、データ変換部４５４と、索引情報作成部としてのファイルコントローラ４５５とを備える。
【００２２】
コントローラ４５１は、ＣＰＵ（Central Processing Unit）４５１Ａと、認証情報記憶部としてのＥＥＰＲＯＭ（Electrically Erasable Programmable Read Only Memory）４５１Ｂと、ＲＡＭ（Random Access Memory）４５１Ｃ等から構成されている。
ＥＥＰＲＯＭ４５１Ｂは、所定の制御プログラムや各種データを記憶する。
ここで、各種データとしては、画像処理部４５２における後述するスケーラユニットに各種処理を実施させるためのパラメータに関する画像処理データ、チューナユニット４４から出力されたＥＰＧデータ等の識別情報、外部の通信端末装置３を特定するための認証情報等である。画像処理データは、操作部４１からの操作信号に基づき、スクリーンＳｃに表示される画像の明るさ、色調、シャープネス等を調整した後、各種パラメータを順次書き換える。識別情報は、記憶部４５３の後述する一次キャッシュに記憶されるフレーム画像データを識別する情報であり、上述したＥＰＧデータの他、フレーム画像データの画像サイズに関するデータ等が例示できる。なお、この識別情報も、画像処理データと同様に、前記一次キャッシュに記憶されるフレーム画像データに応じて適宜書き換えられる。認証情報は、通信端末装置３のシリアルナンバ、通信端末装置３が回線接続される電話番号、通信端末装置３の電子メールアドレス、通信端末装置３の所有者を確認する暗証番号等が例示できる。
ＲＡＭ４５１Ｃは、ＣＰＵ４５１Ａの動作上必要なデータやプログラムを一時記憶する。
ＣＰＵ４５１Ａは、ＥＥＰＲＯＭ４５１Ｂに記憶された制御プログラム、操作部４１からの操作信号、あるいは、送受信部４６によりネットワーク２を介して通信端末装置３から入力した信号（指示情報等）に応じて各種の処理を実行し、これにより、電源ユニット４２、画像形成部４３、チューナユニット４４、送受信部４６、画像処理部４５２、記憶部４５３、データ変換部４５４、およびファイルコントローラ４５５等を制御する。
【００２３】
画像処理部４５２は、コントローラ４５１の制御の下、チューナユニット４４から出力されるＣＶＢＳ信号（画像データ）を処理して液晶ライトバルブ４３２に所定の画像を形成させる。この画像処理部４５２は、ビデオデコーダ４５２Ａと、Ａ／Ｄ変換部４５２Ｂと、フレームメモリ４５２Ｃと、スケーラユニット４５２Ｄと、表示用フレームメモリ４５２Ｅ等から構成されている。
ビデオデコーダ４５２Ａは、チューナユニット４４から出力されるＣＶＢＳ信号を、輝度信号と色信号とに分離した後、アナログＲＧＢ信号に変換して、Ａ／Ｄ変換部４５２Ｂに出力する。なお、デジタル放送受信の場合には、上記処理はメディアプロセッサ内部で処理され、デジタル信号の形式で出力される。
Ａ／Ｄ変換部４５２Ｂは、入力されたアナログＲＧＢ信号をデジタルＲＧＢ信号に変換してフレームメモリ４５２Ｃに出力する。
フレームメモリ４５２Ｃは、Ａ／Ｄ変換部４５２Ｂから出力されるデジタルＲＧＢ信号を入力し、１フレーム分の信号（フレーム画像データ）を、順次上書きして記憶する。
【００２４】
スケーラユニット４５２Ｄは、フレームメモリ４５２Ｃに記憶されたフレーム画像データを順次読み出して、このフレーム画像データの表す画像の解像度を、液晶ライトバルブ４３２の解像度に合わせるために、補間処理を行って解像度を変換する。また、スケーラユニット４５２Ｄは、この解像度変換後のフレーム画像データに対し、コントローラ４５１のＥＥＰＲＯＭ４５１Ｂに記憶された画像処理データに基づいて、明るさ、色調、シャープネスのレベルを調整する。さらに、スケーラユニット４５２Ｄは、レベル調整後のフレーム画像データを表示用フレームメモリ４５２Ｅに順次上書きして記憶させる。そして、スケーラユニット４５２Ｄは、表示用フレームメモリ４５２Ｅに記憶させたフレーム画像データを順次読み出して、液晶ライトバルブ４３２に出力する。
【００２５】
記憶部４５３は、コントローラ４５１の制御の下、スクリーンＳｃに表示される画像に対応する画像データを記憶する。この記憶部４５３は、図２に示すように、一次キャッシュ４５３Ａと、保存メモリ４５３Ｂとを備える。
一次キャッシュ４５３Ａは、スクリーンＳｃに表示される画像を取り込む旨の操作信号が操作部４１から出力され、該操作信号をコントローラ４５１にて認識された際に、コントローラ４５１の制御により、画像処理部４５２の表示用フレームメモリ４５２Ｅに記憶されたフレーム画像データをＪＰＥＧ（Joint Photographic Coding Experts Group）のデータ形式で一次記憶する。本実施形態では、一次キャッシュ４５３Ａは、３つのフレーム画像データを記憶するように構成されている。
保存メモリ４５３Ｂは、コントローラ４５１の制御により、一次キャッシュ４５３Ａに記憶された３つのフレーム画像データのうちの１つを、該フレーム画像データを識別可能とする上述した識別情報に関連付けて所定のデータ形式で記憶する。なお、以下では、保存メモリ４５３Ｂに記憶されたデータをキャプチャ画像データとして記載する。
以上のように、保存メモリ４５３Ｂは、静止画像であるフレーム画像データを記憶する構成であるので、それほど大きい記憶容量を必要としない。
【００２６】
データ変換部４５４は、コントローラ４５１の制御の下、表示用フレームメモリ４５２Ｅに記憶されたフレーム画像データをＪＰＥＧ形式に変換して一次キャッシュ４５３Ａに記憶させる。そして、データ変換部４５４は、コントローラ４５１の制御の下、一次キャッシュ４５３Ａに記憶させたＪＰＥＧ形式のフレーム画像データと、識別情報とを関連付けて所定の画像データを作成し、該画像データを保存メモリ４５３Ｂに記憶させる。また、データ変換部４５４は、コントローラ４５１の制御の下、一次キャッシュ４５３Ａに記憶させたＪＰＥＧ形式のフレーム画像データを２次元バーコードのデータ形式に変換し、２次元バーコード形式のフレーム画像データと、識別情報とを関連付けて保存メモリ４５３Ｂに記憶させる。ここで、データ変換部４５４は、フレーム画像データのデータ形式を２次元バーコード形式に変換する際、フレーム画像データに基づく画像内に文字、数字、記号等のテキスト情報が含まれる場合には、該テキスト情報を二値化してテキストデータ化する。
また、データ変換部４５４は、テキストデータおよび２次元バーコードのデータ形式に変換したフレーム画像データをＪＰＥＧのデータ形式に戻す、デコード処理機能も有している。
【００２７】
ファイルコントローラ４５５は、コントローラ４５１の制御の下、保存メモリ４５３Ｂに記憶された複数のキャプチャ画像データに含まれる各識別情報を索引単位とし、索引先を各識別情報に対応する各フレーム画像データとする索引情報を作成する。具体的に、索引情報としては、複数のキャプチャ画像データが識別情報により区分けされグループ化および階層化された、所謂、ディレクトリ情報を採用できる。すなわち、ディレクトリ情報は、保存メモリ４５３Ｂに記憶された複数のキャプチャ画像データに含まれる各識別情報をディレクトリ名とし、各ディレクトリ内に各識別情報に対応する画像情報における保存メモリ４５３Ｂの格納アドレスに関するアドレス情報がそれぞれ付加されたものである。なお、このようなディレクトリ情報としては、例えば、公知のB-TreeやTrieの構造を採用できる。
【００２８】
送受信部４６は、例えば、アナログモデムや、ＡＤＳＬ（Asymmetric Digital Subscriber Line）モデム、ＤＳＵ（Digital Service Unit）およびＴＡ(Terminal Adapter)、ＬＡＮ(Local Area Network)カードなどで構成される。そして、送受信部４６は、コントローラ４５１による制御の下、電話回線あるいはその他の通信回線を利用して、ネットワーク２を介して通信端末装置３とテレビ受像機４との間で情報の送受信が可能な状態に接続する。
【００２９】
〔３．画像の記憶動作、およびキャプチャ画像データの読み出し動作〕
次に、上述したテレビ受像機４における画像の記憶動作、およびキャプチャ画像データの読み出し動作を順に説明する。
図３は、テレビ受像機４における画像の記憶動作を説明するためのフローチャートである。
なお、以下では、テレビ受像機４の電源がＯＮ状態であり、制御装置４５による制御により画像形成部４３に所定のチャンネルに対応する画像が投影表示されているものとする。
【００３０】
先ず、利用者による操作部４１の操作により、操作部４１から「スクリーンＳｃに表示されている画像を取り込む」旨の操作信号が制御装置４５に出力されると、コントローラ４５１は、該操作信号を認識する。そして、コントローラ４５１は、データ変換部４５４に、表示用フレームメモリ４５２Ｅに順次記憶されるフレーム画像データを所定時間間隔で、３つのフレーム画像データを順次、ＪＰＥＧのデータ形式に変換して一次キャッシュ４５３Ａにそれぞれ記憶させる（処理Ｓ１）。
以上のように、上述した利用者による操作部４１の操作により３つのフレーム画像データを一次キャッシュ４５３Ａにそれぞれ記憶させる構成とすることで、１つのフレーム画像データを一次キャッシュ４５３Ａに記憶させる構成と比較して、利用者の要求に応じた画像を取り込むことが可能となる。
【００３１】
処理Ｓ１の後、コントローラ４５１は、一次キャッシュ４５３Ａに記憶させたＪＰＥＧ形式の３つのフレーム画像データを、表示用フレームメモリ４５２Ｅに描画処理する。そして、コントローラ４５１は、スケーラユニット４５２Ｄを制御して、所定のチャンネルに対応する画像とともに、一次キャッシュ４５３Ａに記憶させたＪＰＥＧ形式の３つのフレーム画像データに基づく画像を、液晶ライトバルブ４３２に形成させる。そして、スクリーンＳｃ上にこれら画像を投影表示させる（処理Ｓ２）。
図４は、スクリーンＳｃ上に投影表示された画像の一例を示す図である。
図４に示すように、処理Ｓ２におけるコントローラ４５１の制御により、スクリーンＳｃ上には、所定のチャンネルに対応する画像Ｆ０の側方に、処理Ｓ１における操作部４１において利用者による画像の取り込み操作により一次キャッシュ４５３Ａに記憶された３つのフレーム画像データに基づく画像Ｆ１，Ｆ２，Ｆ３が投影表示される。
【００３２】
そして、スクリーンＳｃ上に投影表示された画像Ｆ１，Ｆ２，Ｆ３のうち保存したい画像があるか否か、すなわち、保存するか否かを利用者に促す（処理Ｓ３）。
ここで、利用者は、画像Ｆ１，Ｆ２，Ｆ３のうち保存したい画像がない場合には、操作部４１を操作する。そして、利用者による操作部４１の操作により、操作部４１から「保存しない」旨の操作信号が制御装置４５に出力される。そして、コントローラ４５１は、所定のチャンネルに対応する画像のみを投影表示するように画像形成部４３を制御する。
【００３３】
一方、利用者は、画像Ｆ１，Ｆ２，Ｆ３のうち保存したい画像がある場合には、操作部４１により画像を選択する操作を実施する。そして、利用者による操作部４１の操作により、操作部４１から「３つの画像のうち、選択された画像を保存する」旨の操作信号が制御装置４５に出力される（処理Ｓ４）。
以上のように、３つのフレーム画像データに基づく画像をスクリーンＳｃに投影表示して、利用者に保存の可否、および保存したい画像の選択を促す構成とすることで、利用者が要求する画像のみを取り込むことができ、テレビ受像機４の利便性の向上が図れる。
【００３４】
そして、コントローラ４５１は、ＥＥＰＲＯＭ４５１Ｂに記憶された制御プログラムにしたがって、以下に示すように、利用者により選択された画像を保存メモリ４５３Ｂに記憶させる。
すなわち、コントローラ４５１は、ＥＥＰＲＯＭ４５１Ｂに記憶された制御プログラムがフレーム画像データを２次元バーコードのデータ形式で保存メモリ４５３Ｂに保存するように設定されているか否かを判定する（処理Ｓ５）。
【００３５】
処理Ｓ５において、コントローラ４５１は、「Ｎ」と判定した場合、すなわち、制御プログラムがフレーム画像データをＪＰＥＧ形式のデータ形式で保存メモリ４５３Ｂに保存するように設定されていると判定した場合には、データ変換部４５４に、一次キャッシュ４５３Ａに記憶され利用者により選択されたＪＰＥＧ形式のフレーム画像データと、ＥＥＰＲＯＭ４５１Ｂに記憶され該フレーム画像データに対応する識別情報とを関連付けた所定の画像データを作成させる（処理Ｓ６）。
具体的に、図５は、データ変換部４５４により作成された画像データの一例を示す図である。
データ変換部４５４は、図５に示すように、一次キャッシュ４５３Ａに記憶されたフレーム画像データをＪＰＥＧ形式に変換してＪＰＥＧ画像データとするとともに、Ｔａｇ領域ＴにＥＥＰＲＯＭ４５１Ｂに記憶され該フレーム画像データに対応する識別情報（チャンネル番号、日時等）を付加し、所謂、Ｅｘｉｆデータを作成する。
以上のように、データ変換部４５４がＥｘｉｆデータを作成することで、フレーム画像データおよび識別情報の関連付けが容易に実施できるとともに、保存メモリ４５３Ｂに記憶される情報量も縮小できる。
そして、処理Ｓ６の後、処理Ｓ８に移行する。
【００３６】
一方、処理Ｓ５において、コントローラ４５１は、「Ｙ」と判定した場合、すなわち、制御プログラムがフレーム画像データを２次元バーコードのデータ形式で保存メモリ４５３Ｂに保存するように設定されていると判定した場合には、データ変換部４５４に、一次キャッシュ４５３Ａに記憶され利用者により選択されたＪＰＥＧ形式のフレーム画像データを２次元バーコードのデータ形式に変換させる（処理Ｓ７）。
具体的に、コントローラ４５１は、データ変換させるフレーム画像データに基づく画像内に、文字、数字、記号等のテキスト情報が含まれているか否かをデータ変換部４５４に判定させる（処理Ｓ７Ａ）。
処理Ｓ７Ａにおいて、「Ｙ」と判定された場合、すなわち、テキスト情報が含まれていると判定された場合には、コントローラ４５１は、データ変換部４５４に、テキスト情報を二値化させてテキストデータ化させる（処理Ｓ７Ｂ）とともに、テキスト情報が含まれていない部分を２次元バーコード形式に変換させて２次元バーコード画像データを作成させる（処理Ｓ７Ｃ）。
一方、処理Ｓ７Ａにおいて、「Ｎ」と判定された場合、すなわち、テキスト情報が含まれていないと判定された場合には、コントローラ４５１は、データ変換部４５４に、一次キャッシュ４５３Ａに記憶されたフレーム画像データを２次元バーコード形式に変換させて２次元バーコード画像データを作成させる（処理Ｓ７Ｃ）。
【００３７】
そして、コントローラ４５１は、処理Ｓ６または処理Ｓ７の後、作成されたデータを保存メモリ４５３Ｂに記憶させる（処理Ｓ８）。
具体的に、コントローラ４５１は、処理Ｓ６の後、作成されたＥｘｉｆデータを保存メモリ４５３Ｂに記憶させる。
また、コントローラ４５１は、処理Ｓ７の後、処理Ｓ７Ａにおいてテキスト情報が含まれていない場合での２次元バーコード画像データとＥＥＰＲＯＭ４５１Ｂに記憶されフレーム画像データ（２次元バーコード画像データ）に対応する識別情報とを関連付けて保存メモリ４５３Ｂに記憶させる。
さらに、コントローラ４５１は、処理Ｓ７の後、処理Ｓ７Ａにおいてテキスト情報が含まれている場合での２次元バーコード画像データおよびテキストデータとＥＥＰＲＯＭ４５１Ｂに記憶されフレーム画像データ（２次元バーコード画像データおよびテキストデータ）に対応する識別情報とを関連付けて保存メモリ４５３Ｂに記憶させる。
【００３８】
なお、上述した、処理Ｓ５におけるＪＰＥＧ形式および２次元バーコード形式のデータ変換は、予め制御プログラムに設定されていてもよく、利用者が例えば操作部４１にて設定入力することで、適宜変更可能に構成してもよい。
【００３９】
図６は、テレビ受像機４におけるキャプチャ画像データの読み出し動作を説明するためのフローチャートである。
先ず、利用者による操作部４１の操作により、操作部４１から「キャプチャ画像データをスクリーンＳｃに表示する」旨の操作信号が制御装置４５に出力されると、コントローラ４５１は、該操作信号を認識して、ファイルコントローラ４５５に、保存メモリ４５３Ｂに記憶された複数のキャプチャ画像データに関するディレクトリ情報を作成させる（処理Ｓ１１）。
具体的に、ファイルコントローラ４５５は、保存メモリ４５３Ｂに記憶されたキャプチャ画像データが上述したＥｘｉｆデータである場合には、複数のＥｘｉｆデータの各Ｔａｇ領域Ｔに付加された各識別情報をディレクトリ名とし、各ディレクトリ内に各識別情報に対応するＥｘｉｆデータにおける保存メモリ４５３Ｂの格納アドレスに関するアドレス情報がそれぞれ付加されたディレクトリ情報を作成する。
一方、ファイルコントローラ４５５は、保存メモリ４５３Ｂに記憶されたキャプチャ画像データが上述した２次元バーコード画像データを含んで構成されている場合には、複数の２次元バーコード画像データに関連付けられた各識別情報をディレクトリ名とし、各ディレクトリ内に各識別情報に対応する２次元バーコード画像データおよび／またはテキストデータにおける保存メモリ４５３Ｂの格納アドレスに関するアドレス情報がそれぞれ付加されたディレクトリ情報を作成する。
【００４０】
処理Ｓ１１の後、コントローラ４５１は、ファイルコントローラ４５５にて作成したディレクトリ情報を、表示用フレームメモリ４５２Ｅに描画処理する。そして、コントローラ４５１は、スケーラユニット４５２Ｄを制御して、ディレクトリ情報に基づく画像を、液晶ライトバルブ４３２に形成させる。そして、スクリーンＳｃ上に前記画像を投影表示させる（処理Ｓ１２）。これにより、スクリーンＳｃ上に投影表示されたディレクトリ情報から、スクリーンＳｃ上に投影表示させたいキャプチャ画像の選択を促す。
ここで、利用者は、操作部４１により投影表示されたディレクトリ情報から、キャプチャ画像を選択する操作を実施する。そして、利用者による操作部４１の操作により、操作部４１から「複数のキャプチャ画像データのうち、所定のキャプチャ画像を表示する」旨の操作信号（選択したキャプチャ画像データに対応する識別情報を含む）が制御装置４５に出力される（処理Ｓ１３）。コントローラ４５１は、操作信号を入力すると、選択されたキャプチャ画像の識別情報を認識する。そして、コントローラ４５１は、処理Ｓ１１にて作成されたディレクトリ情報を利用して、保存メモリ４５３Ｂに記憶された複数のキャプチャ画像データのうち、選択されたキャプチャ画像の識別情報に対応するキャプチャ画像データを特定する。
【００４１】
処理Ｓ１３の後、コントローラ４５１は、ＥＥＰＲＯＭ４５１Ｂに記憶された制御プログラムにしたがって、以下に示すように、特定したキャプチャ画像データに基づく画像をスクリーンＳｃに投影表示させる。
すなわち、コントローラ４５１は、ＥＥＰＲＯＭ４５１Ｂに記憶された制御プログラムに基づいて、保存メモリ４５３Ｂに保存されたキャプチャ画像データが２次元バーコードのデータ形式で記憶されたものであるか否かを判定する（処理Ｓ１４）。
処理Ｓ１４において、コントローラ４５１は、「Ｎ」と判定した場合、すなわち、保存メモリ４５３Ｂに保存されたキャプチャ画像データがＪＰＥＧ形式であると判定した場合には、後述する処理Ｓ１６に移行する。
一方、処理Ｓ１４において、コントローラ４５１は、「Ｙ」と判定した場合、すなわち、保存メモリ４５３Ｂに保存されたキャプチャ画像データが２次元バーコード形式であると判定した場合には、データ変換部４５４に、処理Ｓ１３にて特定したキャプチャ画像データを、ＪＰＥＧ形式に変換するデコード処理を実施させる（処理Ｓ１５）。
そして、コントローラ４５１は、特定したＪＰＥＧ形式のキャプチャ画像データ、あるいは、処理Ｓ１５にてＪＰＥＧ形式に変換されたキャプチャ画像データを、表示用フレームメモリ４５２Ｅに描画処理する（処理Ｓ１６）。
処理Ｓ１６の後、コントローラ４５１は、スケーラユニット４５２Ｄを制御して、キャプチャ画像データに基づく画像を、液晶ライトバルブ４３２に形成させ、スクリーンＳｃ上に前記画像を投影表示させる（処理Ｓ１７）。
【００４２】
なお、処理Ｓ１７において、スクリーンＳｃ上に投影表示させる画像としては、キャプチャ画像データ、すなわち、フレーム画像データの他、識別情報に基づく画像を投影表示させる構成としてもよく、フレーム画像データに基づく画像のみを投影表示させる構成としてもよい。
【００４３】
〔４．情報配信方法〕
次に、上述した情報配信システム１の情報配信方法を説明する。
図７は、情報配信システム１の情報配信方法を説明するためのフローチャートである。
なお、以下では、テレビ受像機４における電源がＯＦＦ状態（スタンバイ状態）であるとして説明するが、上記キャプチャ画像データの記憶動作と同様にＯＮ状態であっても構わない。
【００４４】
先ず、通信端末装置３の利用者は、通信端末装置３を操作し、ネットワーク２を介してテレビ受像機４に接続信号を出力する（処理Ｓ２１）。そして、テレビ受像機４のコントローラ４５１は、送受信部４６を介して通信端末装置３からの接続信号を入力し、送受信部４６に、ネットワーク２を介して通信端末装置３との間で情報の送受信が可能な状態に接続させる（処理Ｓ２２）。
この処理Ｓ２２において、コントローラ４５１は、以下に示すように、通信端末装置３を認証する認証処理を実施する。
通信端末装置３は、上述した認証情報を記憶するメモリを有しており、接続信号に認証情報を含めて出力する。そして、コントローラ４５１は、入力した接続信号に含まれる認証情報と、ＥＥＰＲＯＭ４５１Ｂに記憶された認証情報とを照合して、照合した結果に応じて、送受信部４６に、ネットワーク２を介して通信端末装置３との間で情報の送受信が可能な状態に接続させる。
なお、上述したように、予め、通信端末装置３のメモリに認証情報を記憶しておき該記憶した認証情報をネットワーク２を介してテレビ受像機４に送信する構成の他、以下の構成を採用してもよい。例えば、利用者は、通信端末装置３を操作してネットワーク２を介してテレビ受像機４と接続した際に、通信端末装置３の図示しないキーボード等により認証情報としての暗証番号を設定入力して該暗証番号をネットワーク２を介してテレビ受像機４に送信させる。そして、コントローラ４５１は、受信した暗証番号と、ＥＥＰＲＯＭ４５１Ｂに記憶された認証情報に含まれる暗証番号とを照合して、照合した結果に応じて、送受信部４６に、ネットワーク２を介して通信端末装置３との間で情報の送受信が可能な状態に接続させる。
【００４５】
処理Ｓ２２の後、コントローラ４５１は、上述した処理Ｓ１１と同様に、ファイルコントローラ４５５に、保存メモリ４５３Ｂに記憶された複数のキャプチャ画像データに関するディレクトリ情報を作成させる（処理Ｓ２３）。
処理Ｓ２３の後、コントローラ４５１は、ファイルコントローラ４５５にて作成されたディレクトリ情報を、所定の信号変換処理を実施して所定のデータに変換して、送受信部４６に、ネットワーク２を介して通信端末装置３に送信させる（処理Ｓ２４）。そして、通信端末装置３は、テレビ受像機４からの信号を受信し、所定の信号変換処理を実施してディレクトリ情報を取得する（処理Ｓ２５）。
通信端末装置３は、取得したディレクトリ情報を図示しないディスプレイ上に表示させ（処理Ｓ２６）、通信端末装置３の利用者に、複数のキャプチャ画像データのうち取得したいキャプチャ画像の選択を促す。
【００４６】
通信端末装置３の利用者は、図示しないキーボード、マウス等を操作することで、表示されたディレクトリ情報から、取得したいキャプチャ画像データを選択する（処理Ｓ２７）。通信端末装置３は、利用者による選択操作により、選択したキャプチャ画像データを送信する旨の指示情報をネットワーク２を介してテレビ受像機４に送信する（処理Ｓ２８）。ここで、指示情報には、ディレクトリ情報を構成し、選択したキャプチャ画像データに対応する識別情報が含まれる。そして、テレビ受像機４のコントローラ４５１は、送受信部４６を介して通信端末装置３からの指示情報を受信する（処理Ｓ２９）。
【００４７】
コントローラ４５１は、処理Ｓ２３にて作成したディレクトリ情報を利用して、保存メモリ４５３Ｂに記憶された複数のキャプチャ画像データのうち、送受信部４６を介して受信した指示情報に含まれる識別情報に対応するキャプチャ画像データを特定する。この後、コントローラ４５１は、送受信部４６に、特定したキャプチャ画像データをネットワーク２を介して通信端末装置３に送信させる（処理Ｓ３０）。そして、通信端末装置３は、ネットワーク２を介してテレビ受像機４からのキャプチャ画像データを受信し（処理Ｓ３１）、図示しないディスプレイ上にキャプチャ画像データに基づく画像を表示する（処理Ｓ３２）。
【００４８】
なお、テレビ受像機４の保存メモリ４５３Ｂに保存されたキャプチャ画像データが２次元バーコード画像データを含んでいる場合には、キャプチャ画像データをＪＰＥＧ形式のデータに変換する、デコード処理を実施するデータ変換部を通信端末装置３に設けておくことで、キャプチャ画像データが２次元バーコード画像データを含んでいる場合であっても、キャプチャ画像データに基づく画像を図示しないディスプレイ上に表示できる。
また、処理Ｓ３０において、通信端末装置３に送信するデータとしては、識別情報を含んで送信する構成としてもよく、ＥｘｉｆデータのＪＰＥＧ画像データや、２次元バーコード画像データや、２次元バーコード画像データおよびテキストデータのみを送信する構成としてもよい。
【００４９】
以上説明したように、本実施形態では、利用者が外部の通信端末装置３を操作して所定の画像情報を送信する旨の指示情報をテレビ受像機４に送信すると、テレビ受像機４のコントローラ４５１は、送受信部４６を介して受信した指示情報を認識し、保存メモリ４５３Ｂから指示情報に基づくキャプチャ画像データを読み出し、送受信部４６を介して該キャプチャ画像データを通信端末装置３に送信する。このことにより、従前に利用者がテレビ受像機４の操作部４１を操作して保存メモリ４５３Ｂに記憶させたキャプチャ画像データに基づく画像を、通信端末装置３の図示しないディスプレイに表示させることができる。このため、従前にテレビ受像機４の保存メモリ４５３Ｂに記憶させたキャプチャ画像データに基づく画像を、通信端末装置３を利用して外部の出先から利用者が視認することができ、テレビ受像機４の利便性の向上が図れる。
【００５０】
また、保存メモリ４５３Ｂがフレーム画像データおよび識別情報を関連付けて記憶し、通信端末装置３から送信される指示情報には識別情報が含まれているので、コントローラ４５１は、受信した指示情報に含まれる識別情報に基づいて、通信端末装置３に送信するキャプチャ画像データを容易に特定できる。このため、テレビ受像機４の利便性の向上がさらに図れる。
さらに、ファイルコントローラ４５５が保存メモリ４５３Ｂに記憶された複数のキャプチャ画像データに基づいて、ディレクトリ情報を作成するので、該ディレクトリ情報に基づいて、保存メモリ４５３Ｂに記憶された複数のキャプチャ画像データの管理を容易に実施できる。このため、コントローラ４５１は、ディレクトリ情報を利用して、受信した指示情報に含まれる識別情報に対応するキャプチャ画像データをさらに容易にかつ迅速に特定できる。したがって、送受信部４６を介してキャプチャ画像データを迅速に通信端末装置３に送信することができ、テレビ受像機４の利便性の向上がさらに一層図れる。
【００５１】
ここで、識別情報は、ＥＰＧデータ、フレーム画像データの画像サイズに関するデータに関するデータ等を採用しているので、例えば利用者が操作部４１を操作して日付、チャンネル等に関する識別情報を設定入力する必要がなく、テレビ受像機４の利便性の向上が図れる。
また、例えば、操作部４１を操作することでユーザが任意にコメントや情報を入力し、該入力したコメントや情報を識別情報とする構成を採用すれば、より識別が高速にできるようになるため、さらに利便性が向上する。
【００５２】
また、データ変換部４５４が、コントローラ４５１による制御の下、フレーム画像データをＪＰＥＧのデータ形式に変換したり、該ＪＰＥＧ形式のフレーム画像データを２次元バーコードのデータ形式に変換したりすることで、キャプチャ画像データの容量を縮小でき、フレーム画像データのデータ形式を変換しない場合に比較して、保存メモリ４５３Ｂにより多くのキャプチャ画像データを記憶させることができる。また、送受信部４６を介して容量の縮小されたＪＰＥＧ形式または２次元バーコード形式のキャプチャ画像データを通信端末装置３に送信するように構成されているので、フレーム画像データのデータ形式を変換しない場合に比較して、キャプチャ画像データの送信を円滑に実施できる。
【００５３】
さらに、データ変換部４５４は、キャプチャ画像データを構成するフレーム画像データに基づく画像内に文字、数字、記号等のテキスト情報が含まれている場合に、該テキスト情報を二値化したテキストデータとし、テキスト情報以外の部分を２次元バーコードのデータ形式に変換するので、キャプチャ画像データの容量をさらに縮小できる。
【００５４】
そして、送受信部４６がネットワーク２を介して通信端末装置３との間で情報の送受信が可能な状態に接続するので、遠隔配置された複数の通信端末装置３にネットワーク２を介して情報の送受信が可能な状態に接続でき、利便性の拡大を大幅に図れる。
【００５５】
また、コントローラ４５１が通信端末装置３の認証処理を実施するので、特定の通信端末装置３に対してのみ情報の送受信が可能な状態に接続でき、テレビ受像機４の内部情報を効果的に保護できる。また、通信端末装置を利用して不正に接続され該通信端末装置から不正な制御プログラム等がテレビ受像機４に出力されることも防止することができ、これに基づいて動作不良等が生じる可能性もない。
【００５６】
なお、本発明は前述の実施形態に限定されるものではなく、本発明の目的を達成できる範囲での変形、改良等は本発明に含まれるものである。
前記実施形態では、保存メモリ４５３Ｂに記憶させる画像情報として、テレビ放送電波に基づく映像の静止画像（フレーム画像データ）を採用したが、これに限らず、例えば、テレビ放送電波に基づく映像の動画像を採用してもよい。また、例えば、メモリカード、ＤＶＤ（Digital Versatile Disc）等の外部記録媒体と接続するためのカードコントローラ、ＤＶＤドライブ等をテレビ受像機４に内蔵しておき、前記外部記録媒体から取得した動画像または静止画像を画像情報として採用してもよい。さらに、前記実施形態では、外部の通信端末装置３から所定の画像データ（動画像または静止画像）を送受信部４６を介して受信することも可能であり、例えば、前記受信した所定の画像データを画像情報として採用してもよい。
【００５７】
前記実施形態では、識別情報として、ＥＰＧデータ、フレーム画像データの画像サイズに関するデータを採用していたがこれに限らず、フレーム画像データを識別可能であればいずれの情報を採用してもよい。例えば利用者に、操作部４１を操作させて日付、チャンネル等に関する識別情報を設定入力させるように構成してもよい。
前記実施形態では、透過型の液晶パネル（液晶ライトバルブ４３２）を採用していたが、これに限らず、反射型の液晶パネルを採用してもよく、あるいは、ディジタル・マイクロミラー・デバイス（テキサス・インスツルメント社の商標）を採用してもよい。
【００５８】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００５９】
本発明のテレビ受像機は、記憶した画像情報の配信を可能とし利便性の向上が図れるため、取得した画像情報に基づいて画像を表示するテレビ受像機として有用である。
【図面の簡単な説明】
【００６０】
【図１】本実施形態におけるテレビ受像機を利用した情報配信システムの概略構成を示すブロック図。
【図２】前記実施形態におけるテレビ受像機の概略構成を示すブロック図。
【図３】前記実施形態におけるテレビ受像機におけるキャプチャ画像データの記憶動作を説明するためのフローチャート。
【図４】前記実施形態におけるスクリーン上に投影表示された画像の一例を示す図。
【図５】前記実施形態におけるデータ変換部により作成された画像データの一例を示す図。
【図６】前記実施形態におけるテレビ受像機におけるキャプチャ画像データの読み出し動作を説明するためのフローチャート。
【図７】前記実施形態における情報配信システムの情報配信方法を説明するためのフローチャート。
【符号の説明】
【００６１】
２・・・ネットワーク、３・・・通信端末装置、４・・・テレビ受像機、４６・・・送受信部、４５１・・・コントローラ（制御部）、４５１Ｂ・・・ＥＥＰＲＯＭ（認証情報記憶部）、４５３・・・記憶部、４５４・・・データ変換部、４５５・・・ファイルコントローラ（索引情報作成部）。
【図１】
2006148765.tif 000003
【図２】
2006148765.tif 000004
【図３】
2006148765.tif 000005
【図４】
2006148765.tif 000006
【図５】
2006148765.tif 000007
【図６】
2006148765.tif 000008
【図７】
2006148765.tif 000009